(57)【要約】【課題】  電子機器の筐体構造において、比較的低強度の木材の外装体を用いても破損しにくいようにする。【解決手段】  一方が開口した函形の木材からなる前カバー１、後カバー２の内面に沿って支持フレーム１１を設ける。そして、前カバー１、後カバー２が外力を受けたとき、支持フレーム１１が前カバー１、後カバー２を支持してその変形を抑制するとともに、応力を分散できるようにする。【選択図】      図２
2005322717.tif 000002
【特許請求の範囲】
【請求項１】
被蔽物を覆うための木材からなる外装体と、
該外装体をその内面に沿って支持可能に設けられた支持部材とを備えることを特徴とする電子機器の筐体構造。
【請求項２】
前記支持部材がフレーム構造を有することを特徴とする請求項１に記載の電子機器の筐体構造。
【請求項３】
前記支持部材が網状フレーム構造を有することを特徴とする請求項１または２に記載の電子機器の筐体構造。
【請求項４】
前記支持部材が被蔽物を保持する保持部材を兼ねることを特徴とする請求項１〜３のいずれかに記載の電子機器の筐体構造。
【請求項５】
前記支持部材が前記外装体の外側に設けられた外部部材を保持する保持部材を兼ねることを特徴とする請求項１〜４のいずれかに記載の電子機器の筐体構造。
【請求項６】
前記支持部材に、前記外装体の端部を固定するフレーム状の固定部材が設けられたことを特徴とする請求項１〜５のいずれかに記載の電子機器の筐体構造。
【発明の詳細な説明】
【技術分野】
【０００１】
本発明は、電子機器の筐体構造に関する。例えば、カメラ、携帯電話、ＩＣレコーダ、ＰＤＡなどの電子機器、あるいは、テレビ、ビデオデッキ、エアコン、プロジェクタなど家電製品のリモコンといった電子機器に好適な筐体構造に関する。
【背景技術】
【０００２】
例えば、カメラ、携帯電話、ＩＣレコーダ、ＰＤＡなどの電子機器、あるいは、テレビ、ビデオデッキ、エアコン、プロジェクタなど家電製品のリモコンといった電子機器の外装体は、電子部品や光学部品などを内蔵する筐体を形成するとともに、これらの機器の外観デザインに寄与する部材となっている。
従来、これらの外装体の形状は、機器の小型化、軽量化を図るため、比較的薄肉の板部材、シェル部材などからなる。また、材料としては、合成樹脂や軽金属といった大量生産に適した材料で製造されるのが一般的である。
一方、これらの合成樹脂、軽金属などの材料は、吸湿性をもたないために人の手にはなじみ難いという欠点がある。そこで、優れた吸湿性と、手になじみ易く人間の感性に訴えかける優しい風合いを備えた木や竹といった自然素材を外装体として用いることが提案されている。
例えば、特許文献１には、木質材料からなり、表面を炭化処理した電子機器のための筐体構成用材料が記載されており、シャーシに回路ユニットおよび撮影ユニットを組み付けた上で木材を用いた薄肉シェル状の前カバーおよび後カバーで覆ったカメラが開示されている。前カバー、後カバーは、互いに接合され、シャーシに固定されている。
【特許文献１】特開２００４−６４０２１号公報（第２−４頁、図１）
【発明の開示】
【発明が解決しようとする課題】
【０００３】
しかしながら、上記のような木材を外装体とした従来の電子機器の筐体構造には、以下のような問題があった。
例えば、カメラ、携帯電話、ＩＣレコーダ、ＰＤＡなどの電子機器、あるいは、テレビ、ビデオデッキ、エアコン、プロジェクタなど家電製品のリモコンといったものは、可搬型であり、また手に持って操作するため、搬送時や操作時に外装体の外側から外力を受ける。この場合、従来の筐体構造によれば、外力による外装体の変形が大きくなり、ひび割れや破損が生じるという問題がある。
そのため、外力による変形に対して脆い木材を外装体に用いた場合でも破損しにくい筐体構造が強く求められていた。
【０００４】
本発明は、上記のような問題に鑑みてなされたものであって、比較的強度が低い木材を外装体に用いつつ、外力による破損が起こりにくいようにした電子機器の筐体構造を提供することを目的とする。
【課題を解決するための手段】
【０００５】
上記の課題を解決するために、請求項１に記載の発明では、電子機器の筐体構造において、被蔽物を覆うための木材からなる外装体と、該外装体をその内面に沿って支持可能に設けられた支持部材とを備える構造とする。
この発明によれば、外装体に外力が作用する場合、外装体の内面に沿う支持部材に支持されて変形が規制されるため、低強度の木材を電子機器の外装体に使用することができる。
【０００６】
請求項２に記載の発明では、請求項１に記載の電子機器の筐体構造において、前記支持部材がフレーム構造を有する構造とする。
この発明によれば、支持部材がフレーム構造を有するので、軽量かつ安価な構造とすることができる。また、フレームの間では、外装体の内面までの空間を利用可能となるので、筐体内の空間を有効利用して省スペース化を図ることができる。
【０００７】
請求項３に記載の発明では、請求項１または２に記載の電子機器の筐体構造において、前記支持部材が網状フレーム構造を有する構造とする。
この発明によれば、支持部材が網状フレーム構造を有するので、外装体の内面の形状が複雑であっても内面に沿わせる形状を容易に形成することができる。したがって、外装体の内面を比較的広範囲で支持することができるので、外力を分散させやすい構成とすることができる。
【０００８】
請求項４に記載の発明では、請求項１〜３のいずれかに記載の電子機器の筐体構造において、前記支持部材が被蔽物の保持部材を兼ねる構造とする。
この発明によれば、支持部材が被蔽物を保持する保持部材を兼ねるので、部品点数を削減でき、小型化を図ることができる。
【０００９】
請求項５に記載の発明では、請求項１〜４のいずれかに記載の電子機器の筐体構造において、前記支持部材が前記外装体の外側に設けられた外部部材を保持する保持部材を兼ねる構造とする。
この発明によれば、支持部材が外装体の外側に設けられた外部部材を保持する保持部材を兼ねるので、部品点数を削減することができる。また、支持部材を外装体より高強度の部材とすることにより、外装体に比較的低強度の木材を用いても外部部材を保持することができる。
【００１０】
請求項６に記載の発明では、請求項１〜５のいずれかに記載の電子機器の筐体構造において、前記支持部材に、前記外装体の端部を固定するフレーム状の固定部材が設けられた構造とする。
この発明によれば、外装体に外力が作用する場合、支持部材を通して応力をフレーム状の固定部材に伝達することができるから、外装体端部および支持部材の変形を規制することができ、高強度の筐体構造とすることができる。
【発明の効果】
【００１１】
本発明の電子機器の筐体構造によれば、外装体の内面に沿う支持部材により外装体の変形を規制することができるので、比較的低強度の木材を用いた外装体であっても破損しにくい筐体を形成することができるという効果を奏する。
【発明を実施するための最良の形態】
【００１２】
以下では、本発明の実施の形態を、添付図面を参照して説明する。すべての図面において、実施形態が異なる場合であっても、同一または相当する部材には同一の符号を付し、共通する説明は省略する。
図１は、本発明の実施形態に係る筐体構造を用いたデジタルカメラについて説明するための斜視説明図である。図２は、図１のデジタルカメラの外装系の概略構成について説明するための分解斜視図である。図３は、図１におけるＡ−Ａ断面図である。図４は図１におけるＢ−Ｂ断面図である。なお、図１〜３において、それぞれ共通するＸＹＺ直角座標系を記載した。この座標系はカメラの右側を把持して前方を撮影する姿勢で構えたときに、前方に向かう方向をＺ方向、左側に向かう方向をＸ方向、鉛直上方をＹ方向としている。以下では、簡単のために、相対的な方向をこの座標系を参照して説明する場合がある。
【００１３】
本発明の実施形態に係る筐体構造は、例えば、図１に示すようなデジタルカメラ１００（電子機器）などに好適に用いることができるものである。
デジタルカメラ１００の筐体の概略構成は、図１、２に示すように、後カバー２（外装体）、前カバー１（外装体）、支持フレーム１１（支持部材）、およびフレーム３（固定部材）からなる。
この筐体は、デジタルカメラに用いる周知の光学部品、機構部品、電装部品などを必要に応じて被蔽物として内蔵している。本実施形態では、図１、３に示すように、内蔵フラッシュ６、ファインダ７、撮影ユニット２１、液晶表示部２４、制御電装部２３、回路ユニット２５、メモリカード２７、バッテリ２９、バリアスイッチ２６などが設けられている。被蔽物の一部は、前カバー１、後カバー２に設けられた開口部から外部に露出している。
【００１４】
撮影ユニット２１は、図３に示すように、鏡筒２１ｄに保持されてズームレンズ光学系を構成するレンズ群２１ａ、ミラー２１ｃ、レンズ群２１ｂと、その像面に配置される撮像素子であるＣＣＤ２２とからなる。
レンズ群２１ａは、最も物体側に配置された固定群である。
レンズ群２１ｂは、少なくとも一部が、ミラー２１ｃにより折り畳まれた光路上においてズーミング機構２１ｅにより移動可能に保持された移動群となっている。
このような構成により、撮影ユニット２１は、筐体から突出することなく、ズーミングを行うことが可能となっている。
【００１５】
レンズバリア５は、撮影しないときにレンズ群２１ａの前面を覆うためのもので、撮影用開口１ａを閉じることが可能な大きさを有する楕円または長円板などの板部材とされ、例えば合成樹脂や金属で形成される。
そして、組立状態で楕円または長円の短径方向が後述するレンズバリアガイド１２ｃに案内される。レンズバリア５上には、ピン５ａがＺ軸正方向に立設され、ピン５ａは、組立状態でスライド孔１ｇを挿通されスライドレバー４に接続される。
そのためレンズバリア５の移動を、筐体の外側のスライドレバー４を移動させることにより行うことができるようになっている。
【００１６】
バリアスイッチ２６は、レンズバリア５の移動に応じてデジタルカメラ１００の電源のオン・オフを行うためのもので、図３に示すように、スイッチレバー２６ａがレンズバリア５の移動経路に進退自由に突出し、レンズバリア５が撮影用開口１ａを覆うとき回路が切断され、レンズバリア５が撮影用開口１ａ上から退避したとき、回路が閉じられるようになっている。
【００１７】
後カバー２は、図２に示すように、ＸＹ平面に平行な略矩形状の底板部２Ｅの周囲を４つの側面で囲んだＺ軸正方向に開口した略均一肉厚を有する函形の形状とされている。
４つの側面の先端には、それぞれＸ軸正負方向にそれぞれ左側端部２Ａ、右側端部２Ｃが、Ｙ軸正負方向にそれぞれ上側端部２Ｂ、下側端部２Ｄが形成されている。これら端部の端面はＸＹ平面に平行な面に略整列している。
【００１８】
上側端部２Ｂには、右側端部２Ｃ近傍に、端面から略半円状に切り欠かれた切欠き２ａが設けられ、下側端部２Ｄには、中央部に端面から略半円状に切り欠かれた切欠き２ｂが設けられている。
【００１９】
底板部２Ｅには、略中央部に液晶表示部２４を筐体外部から見えるように配置するための表示用開口２ｃが設けられ、その左横（Ｘ軸正方向）に操作ボタン２３ａを外部に突出させるための操作部用開口２ｄ…が設けられている。
【００２０】
後カバー２の材質は、木材、プレス成形、射出成形などが可能な軽金属（アルミニウム、ステンレス、チタン、マグネシウム等）、合成樹脂（ＡＢＳ、ポリカーボネイト、アクリル等）などを採用することができる。本実施形態では、吸湿性に優れるとともに自然の風合いを生かして意匠的側面でも優位性を持つ木材を用いた例で説明する。
本実施形態で採用する木材は、圧縮成形することにより密度を高めて強度を向上させた圧縮木材である。
【００２１】
圧縮成形は、例えば、自然木材を後カバー２に対して相対的に厚肉に削りだして原形を製作し、金型により高温蒸気雰囲気下において圧縮成形し、金型面の形状を転写するにより行うことができる。このようにして、表面に木目線Ｇが露出し、内部は原形の木材に比して高強度とされた薄肉シェル状の部材が得られる。
切欠き２ａ、２ｂ、表示用開口２ｃ、操作部用開口２ｄなどは、圧縮成形後に、２次加工するなどして形成することができる。
本実施形態では、後カバー２として、柾目材から原形を削りだしているので、特に左側端部２Ａ、右側端部２Ｃでは、端面に繊維の断面が露出し、繊維間の結合力が弱いため割れたり剥がれたりしやすくなっている。
【００２２】
後カバー２の表面は、必要に応じて、炭化層やコーティング層を設けたり、模様、凹凸などが２次加工されたりしてもよい。また、合成樹脂、合成ゴム、金属などの異材質を埋め込んだり接着したりしてもよい。
【００２３】
木材の種類としては、例えば檜、檜葉、桐、チーク、マホガニー、杉、松、桜、竹等が挙げられる。また、ムクの木材だけではなく、廃材チップや木粉等を集めて固めた圧縮加工材料のような木質材を使用することも可能である。
【００２４】
前カバー１は、後カバー２と同様な圧縮木材を用いた成形品であり、図２に示すように、大部分がＸＹ平面に平行な略矩形状の底板部１Ｅの周囲を４つの側面が囲み、Ｚ軸負方向に開口した略均一肉厚を有する函形の形状とされている。ただし、前カバー１は、意匠性を増すために、複雑に湾曲した木目線Ｇが得られるように板目材から切り出した原形を用いている。ただし、この場合にも、端面に繊維の断面が露出し、繊維間の結合力が弱いため割れたり剥がれたりしやすくなっていることは後カバー２と同様である。
４つの側面の先端には、それぞれＸ軸正負方向にそれぞれ左側端部１Ａ、右側端部１Ｃが、Ｙ軸正負方向にそれぞれ上側端部１Ｂ、下側端部１Ｄが形成されている。これら端部の端面はＸＹ平面に平行な面に略整列している。
【００２５】
上側端部１Ｂには、右側端部１Ｃ近傍に、端面から略半円状に切り欠かれた切欠き１ｅが設けられている。
切欠き１ｅは、組立状態で、後カバー２の切欠き２ａと対向して略円孔を形成するためのもので、同じく切欠き１ｈは切欠き２ｂと対向して略円孔を形成するためのものである。
また右側端部１Ｃの端面近傍には、メモリカード２７を挿脱するための挿入孔１ｆが端面に沿って設けられている。挿入孔１ｆは、孔カバー９が着脱自在に取り付けられるようになっている。
底板部１Ｅの右側端部１Ｃ近傍では、Ｚ軸正方向に半円状に膨らんだグリップ部１ｂが形成されている。
【００２６】
底板部１Ｅには、撮影ユニット２１のレンズ開口に対応して入射光を取り込むための撮影用開口１ａが設けられている。撮影用開口１ａは、図３に示すように、板厚方向に階段状に縮径する傾斜面を有しており、その表面は迷光を防止するために炭化処理されている。
またファインダ７、内蔵フラッシュ６に対応して、それぞれの先端を嵌め込むためのファインダ用開口１ｃ、フラッシュ用開口１ｄが設けられている。
撮影用開口１ａとグリップ部１ｂとの間にはＸ軸方向に沿って延びるスライド孔１ｇが設けられている。スライド孔１ｇには、前カバー１の内側に配置されるレンズバリア５のピン５ａが挿通可能とされている。
【００２７】
筐体を構成するフレーム３（固定部材）の内周側には、支持フレーム１１（支持部材）が固定されている。
支持フレーム１１は、筐体が組み立てられたとき、前カバー１、後カバー２の内面に当接するか、近接する位置に配置され、前カバー１、後カバー２に外力が加えられたときにその内面側への変形を抑制し、損傷を防止するための補強部材である。近接して配置する場合、前カバー１、後カバー２の強度に応じた許容変形量により、適宜の隙間を設けて近接させることができる。
支持フレーム１１の固定方法は、溶接、カシメ、ねじ締結など適宜の方法を用いることができる。また、支持フレーム１１は、フレーム３と一体に形成された構造であってもよい。
【００２８】
支持フレーム１１は、本実施形態では、前フレーム１５ａ、１６ａ、１７ａ、後フレーム１５ｂ、１６ｂ、１７ｂ、およびレンズバリア収納部１２からなり、主に、矩形断面を有する棒部材によるフレーム構造として構成されている。
前フレーム１５ａ、１６ａ、後フレーム１５ｂ、１６ｂは、フレーム３の長手方向の中間部に間隔をおいて配置され、フレーム３の短手方向のスパン間に架設された、前カバー１、後カバー２の内面の湾曲に沿う略コ字状の部材である。前フレーム１５ａは、撮影用開口１ａの左脇（Ｘ軸正方向）に相当する位置に、前フレーム１６ａは、グリップ部１ｂと撮影用開口１ａとの中間位置に配置されている。
前フレーム１７ａ、後フレーム１７ｂは、フレーム３の短手方向の中間部に間隔をおいて配置され、前フレーム１６ａ、後フレーム１６ｂとフレーム３との間にそれぞれ架設され、底板部１Ｅ、２Ｅの内面に沿うように湾曲された略Ｌ字状の部材である。ただし、前フレーム１７ａは、グリップ部１ｂのため、Ｌ字の屈折部が円弧状に突出した湾曲を備えている。
【００２９】
レンズバリア収納部１２は、レンズバリア５を前カバー１との間で収納して、Ｘ軸方向に可動に保持するためのものである。そして、前フレーム１５ａ、１６ａの前面（底板部１Ｅに対向する面）からレンズバリア５の板厚よりわずかに下げられた位置に設けられたレンズバリア案内面１２ｂと、前フレーム１５ａの中間部からレンズバリア５の長径方向端部を係止するための湾曲を有するレンズバリアストッパ１２ａと、前フレーム１５ａと前フレーム１６ａとの間でＹ軸方向にレンズバリア５の短径幅よりわずかに大きい間隔をあけ架設されたレンズバリアガイド１２ｃ、１２ｃとからなる。レンズバリアガイド１２ｃの前面は、前フレーム１５ａ、１６ａと整列されている。
そして、レンズバリア案内面１２ｂには、撮影ユニット２１のレンズ開口に相当する位置に、開口部１４が設けられている。
【００３０】
次に、本実施形態の支持フレーム１１の作用について説明する。
支持フレーム１１によれば、前カバー１、後カバー２に外力が加えられたときに、支持フレーム１１が当接する位置で、それぞれの変形を制限することができる。したがって、支持フレーム１１と前カバー１、後カバー２との間の隙間を適正に設けることにより、外力による応力が前カバー１、後カバー２の破壊強度を超えないようにすることができる。
また、前フレーム１５ａ、後フレーム１５ｂ、および前フレーム１６ａ、後フレーム１６ｂのように、互いに環状に接続された構造によれば、外力に対して環状構造で抵抗できるので好都合である。
【００３１】
また、支持フレーム１１はフレーム構造になっているため、フレーム間の空間では、被蔽物を外装体の内面近傍まで配置することができ、省スペースの構成とすることができる。そのため、小型化が可能となる。
また、フレーム間の空間は、レンズバリア５など外装体に密接して配置される部材を概としたり、収納したりする空間として利用することができる。
また、フレーム構造にすることにより、外装体の内面に沿う湾曲を有する形状が製作しやすくなるという利点もある。
【００３２】
支持フレーム１１の材質としては、前カバー１、後カバー２より高強度の木材、合成樹脂、金属などを採用することができる。  
【００３３】
フレーム３の概略形状は、図４に示すように、ウェブ３ｂ（端面突き当て部）に側面ガイド３ａ…（側面案内部）をフランジとして設けた断面がＨ形の棒材を、前カバー１、後カバー２の各端部が形成する略矩形状開口に合わせて折り曲げ、環状の枠体としたものである（図２参照）。なお、図２では断面を表示するため一部が破断されている。
ウェブ３ｂ、側面ガイド３ａ、３ａは、前カバー１、後カバー２の端部をそれぞれ挟持できるコ字状の溝を形成している。ウェブ３ｂは、前カバー１、後カバー２を側面ガイド３ａ、３ａ間にＺ軸方向から押し込んで組み立てたときに、それぞれの端面の少なくとも一部が突き当て可能とされ、前カバー１、後カバー２の押し込み方向の位置規制ができるようになっている。
【００３４】
デジタルカメラ１００は、故障時に筐体を開けて修理する必要があるので、フレーム３には、前カバー１、後カバー２を着脱可能に固定される。図面を見やすくするために図２には図示していないが、フレーム３には、適宜位置に固定手段が設けられている。
固定手段としては、種々の手段を採用できるが、例えば、筐体の内面側の側面ガイド３ａから、対向する側面ガイド３ａに対して、少なくともねじ締結可能な長さだけ突出した適宜幅を有する突片を設け、その突片上に前カバー１または後カバー２をねじ締結するための雌ねじを形成する構成を採用することができる。この場合、前カバー１または後カバー２には、ねじを貫通するための貫通孔を設けておく。
このようにすれば、外装体には貫通孔だけを加工すればよく、タップを立てなくてもよい。したがって木材などの低強度の材質でも繰り返し着脱することができ、耐久性に優れた筐体とすることができる。
【００３５】
フレーム３の材質は、前カバー１、後カバー２より高強度の合成樹脂、金属などを採用することができる。
【００３６】
また、支持フレーム１１が、フレーム３と一体に固定されることにより、前カバー１、後カバー２を通して加えられた外力を分散させ、フレーム３に応力を伝達することができる。さらに、支持フレーム１１がフレーム３の間に架設されることにより、フレーム３の梁部材ともなっており、外周方向からの外力も負荷できるようになっている。
【００３７】
フレーム３、支持フレーム１１には、筐体に内蔵される種々の被蔽物を当接したり固定したりすることができる。例えば、図３に示すように、制御電装部２３は、後フレーム１５ｂに取り付けられている。バッテリケース２９ａは、後フレーム１６ｂとフレーム３とにまたがって取り付けられている。カードホルダ２８は、前フレーム１６ａおよび前フレーム１７ａに取り付けられている。その他、図３に取付相手を図示されていない部材も、フレーム３、支持フレーム１１に取り付けられた不図示の保持部材に固定されているものである。
【００３８】
本実施形態の支持部材の変形例について説明する。
図５（ａ）、（ｂ）は、本発明の実施形態に係る支持部材の第１、第２変形例について説明するための斜視模式説明図である。
【００３９】
本実施形態の第１変形例の支持フレーム４１（支持部材）は、図５（ａ）に示すように、フレーム３の対向するフレーム間に、外装体の内面に沿う形状で架設された部材である。図示では、簡単のために、断面コ字状の函形として描いているが、どのような３次元形状であってもよい。
支持フレーム４１は、網状フレーム構造からなり、例えば、多数の矩形状開口を有するメッシュ４２からなる。
メッシュ４２には、必要に応じて開口部４３を設けることができる。メッシュ４２の外周や開口部４３の内周は、メッシュ４２とは異なる部材からなるフレームを接合してもよい。
また図示しないが、メッシュ４２には、必要に応じて、外装体や被蔽物を当接したり固定したりできるようにしてもよい。
【００４０】
メッシュ４２の材質は、金属であれば、金属ワイヤーを編むか接合したものを採用できる。合成樹脂であれば、種々のメッシュ形状に成形したものを採用できる。
メッシュ４２として、金属を採用する場合、適宜の形状を形成した後、焼入などの熱硬化処理を施すことが好ましい。それにより、金属ワイヤー径を細くしても高強度とすることができる。
【００４１】
このような支持フレーム４１によれば、網状フレーム構造により、複雑な３次元曲面を形成することが容易となる。また必要な位置だけに開口部４３を設けることにより、外装体の内面を比較的広範囲に覆うことができ、外装体に加わる外力を広範囲に分散することができる。
【００４２】
本実施形態の第２変形例の支持フレーム４５（支持部材）は、図５（ｂ）に示すように、支持フレーム４１と同様にフレーム３に架設された部材であり、メッシュ４２に代えて、板部４６上に多数の孔部４７が設けられた板シェル構造を有する。また、必要に応じて、孔部４７より大きい開口部４８が設けられている。
支持フレーム４５の材質としては、パンチングメタルなどをプレス加工したものや、合成樹脂成形品を採用することができる。
【００４３】
このような支持フレーム４５によれば、板シェル構造により、複雑な３次元曲面を形成することが容易となる。また必要な位置だけに開口部４８を設けることにより、外装体の内面を比較的広範囲に覆うことができ、外装体に加わる外力を広範囲に分散することができる。その際、広範囲に覆うことにより、板厚を薄くできるので、省スペースの支持部材とすることができる。
【００４４】
また、第１、第２変形例で、メッシュ４２、板部４６を金属製とすれば、外装体の内面を広範囲に適宜の面密度で覆うことにより、電磁シールド部材として利用することもできて好都合である。したがって、木材などの非導電材料を外装体としても電子機器の電磁放射対策を容易に行うことができるという利点がある。
【００４５】
なお、上記の説明では、支持部材が保持する部材が主として被蔽物である例で説明したが、外装体に貫通孔を設けることなどにより、筐体の外部に露出された外部部材を保持するようにしてもよい。
例えば、外部部材の例として、孔カバー９は、前カバー１の挿入孔１ｆに取り付けられるとしたが、支持フレーム１１に挿入孔１ｆ内に延びる枠形状を設け、孔カバー９を保持するようにしてもよい。
また、本実施形態では、レンズバリア５は外装体と支持部材の間で可動するバリアを設けた例で説明したが、前カバー１の外側を移動する外部部材としてのバリアを設け、その移動ガイドを支持フレーム１１に設けて構成することもできる。
また、外部部材のスライドレバー４は、スライド孔１ｇに沿って移動するとしたが、スライド孔１ｇは単に開口とし、スライド孔１ｇに相当するガイド部を支持フレーム１１に設けるようにしてもよい。
このように外部部材を支持部材に保持すれば、外装体への負荷が減るので、耐久性を向上することができるという利点がある。
【００４６】
また、上記の説明では、外装体の端部を固定するフレーム状の固定部材が設けられる例で説明したが、このような固定部材を省略した構造としてもよい。この場合は、外装体の端部同士を直接固定して筐体とすればよい。また、支持部材が十分な強度を有していれば、外装体を支持部材に固定するようにしてもよい。
【００４７】
また、上記の説明では、フレーム３がＨ形断面を有し、前カバー１、後カバー２の端面をウェブ３ｂにそれぞれ突き当てて固定する部材として説明したが、これに限定されるものではなく、例えば、フレーム３の断面形状はＴ字状、ユ字状などの適宜の形状に変形されてもよい。
【００４８】
また、上記の説明では、フレーム３は、環状の枠体であるとして説明したが、支持部材を固定して応力を負荷できる構造であれば、必要に応じて外装体端部の周方向に分割して設けてもよい。例えば、そのような複数のフレーム３間に支持部材と異なる梁部材で接合された構成などを採用してもよい。
そのような場合、フレーム３が配置されない部位では必要に応じて適宜の部材により遮光、防塵などが行われる。
【００４９】
また、上記の説明では、本発明の電子機器の筐体構造を、電子機器の一例であるデジタルカメラに利用できる例で説明したが、本発明は、例えば、テレビやビデオデッキ、エアコン、プロジェクタ等のリモコン、携帯電話、ＩＣレコーダ、ＰＤＡなどの電子機器のすべてについて好適である。特に、外装体として木材を用いることにより吸湿性、良好な触感などが得られる手で持って操作する電子機器にきわめて好適となるものである。
【図面の簡単な説明】
【００５０】
【図１】本発明の実施形態に係る筐体構造を用いたデジタルカメラについて説明するための斜視説明図である。
【図２】図１のデジタルカメラの外装系の概略構成について説明するための分解斜視図である。
【図３】図１におけるＡ−Ａ断面図である。
【図４】図１におけるＢ−Ｂ断面図である。
【図５】本発明の実施形態に係る支持部材の第１、第２変形例について説明するための斜視模式説明図である。
【符号の説明】
【００５１】
１  前カバー（外装体）
１Ａ、２Ａ  左側端部（開口側の端部）
１Ｂ、２Ｂ  上側端部（開口側の端部）
１Ｃ、２Ｃ  右側端部（開口側の端部）
１Ｄ、２Ｄ  下側端部（開口側の端部）
２  後カバー（外装体）
３  フレーム（固定部材）
３ａ  側面ガイド（側面案内部）
３ｂ  ウェブ（端面突き当て部）
５  レンズバリア
１１、４１、４５  支持フレーム（支持部材）
２１  撮影ユニット
２１ａ  レンズ群
１００  デジタルカメラ（電子機器）
４２  メッシュ
４３、４８  開口部
４６  板部
４７  孔部
Ｇ  木目線
【図１】
2005322717.tif 000003
【図２】
2005322717.tif 000004
【図３】
2005322717.tif 000005
【図４】
2005322717.tif 000006
【図５】
2005322717.tif 000007